(57)【要約】【課題】  天井表面に生成される結露等の水滴を浴室の所定位置に流下させて、バスタブ内への流れ込み等を確実に防止し得る浴室天井構造を提供する。【解決手段】  浴室の壁面上端部に天井の外周縁部を連結する連結手段の室内側に、天井に生成された結露等の水滴を回収して浴室の所定位置に流下させ得る樋を設ける。連結手段は、壁面と天井とを連結固定するレールの室内側に嵌合装着される目地カバーを有し、該目地カバーに樋が一体形成される。【選択図】  図３
2005139815.tif 000002
【特許請求の範囲】
【請求項１】
浴室壁面の上端部に天井の外周縁部が連結手段を介して取り付けられる浴室天井構造であって、
前記連結手段はその室内側に、天井に生成された結露等の水滴を回収して浴室の所定位置に流下させ得る樋を備えることを特徴とする浴室天井構造。
【請求項２】
前記連結手段は、壁面と天井とを連結固定するレールの室内側に嵌合装着される目地カバーを有し、該目地カバーの室内側に前記樋が設けられることを特徴とする請求項１に記載の浴室天井構造。
【請求項３】
前記目地カバーは、壁パネルの左右の幅と略同一長さの長尺状に形成されると共にその前面下部に樋が一体形成され、該樋の所定位置が切り欠きされることにより水滴を下方に流下させる排水部が形成されていることを特徴とする請求項２に記載の浴室天井構造。
【請求項４】
前記樋は、弾性変形可能に形成されていることを特徴とする請求項１ないし３のいずれかに記載の浴室天井構造。
【請求項５】
前記水滴が流下する所定位置は、バスタブの上縁フランジの隅部に設けられた蓋置き凹部であることを特徴とする請求項１ないし４のいずれかに記載の浴室天井構造。
【発明の詳細な説明】
【技術分野】
【０００１】
本発明は、例えばシステムバスルーム等の浴室の壁面上端部に天井を取り付けるための浴室天井構造に関する。
【背景技術】
【０００２】
従来、システムバスルームの場合、浴室壁面を形成する壁パネルの上端部に、浴室天井としてのドーム形状や平板形状の天井パネルが取り付けられており、この天井パネルの壁パネルへの取付構造としては、例えば特許文献１に開示されている。この特許文献１に開示の取付構造は、天井パネルから垂下されて室外方向に延びる曲げ返しを有する係合具と、挿入孔及び係止部を有して壁パネルに固定されるフレームとを備え、天井パネルを壁パネル上に載置し、係合具を挿入孔に挿入すると共に係止部に係止させ、天井パネルを壁パネルの上端間に係合具の固定用の挿入部材を圧入して取り付けるようにしたものである。
【特許文献１】特開平８−４２１６７号公報
【発明の開示】
【発明が解決しようとする課題】
【０００３】
しかしながら、この取付構造においては、天井パネルが壁パネルの上端部に、単に係合具と断面コ字状のフレームとによって取り付けられているのみであるため、天井パネルの表面に生成される結露等の水滴の流下位置を浴室の所定位置に特定することができず、水滴がバスタブ側方の壁パネルを伝わりバスタブ内に流れ込んで入浴の快適性を損なう虞があったり、水滴流れによる壁パネル中央部に汚れが発生し易い等の問題点を有している。また、上記取付構造にあっては、天井パネルの表面を流れ落ちる水滴の一部が、係合具を伝わってフレーム内に進入することも考えられるが、この場合も結露でフレーム内が汚れて黴等が発生し易く、衛生面において好ましくない。
【０００４】
本発明は、このような事情に鑑みてなされたもので、その目的は、天井表面に生成される結露等の水滴を浴室の所定位置に流下させて、バスタブ内への流れ込み等を確実に防止し得る浴室天井構造を提供することにある。
【課題を解決するための手段】
【０００５】
かかる目的を達成すべく、本発明のうち請求項１に記載の発明は、浴室の壁面上端部に天井の外周縁部が連結手段を介して取り付けられる浴室天井構造であって、前記連結手段はその室内側に、天井に生成された結露等の水滴を回収して浴室の所定位置に流下させ得る樋を備えることを特徴とする。このように構成することにより、天井表面に生成された結露等は、該表面を流れて連結手段の樋に回収され、この樋を所定方向に流れて、例えば浴室四隅の所定の隅部から下方の所定位置に流下して洗い場に流れ落ちる。
【０００６】
そして、前記連結手段は、請求項２に記載の発明のように、壁面と天井とを連結固定するレールの室内側に嵌合装着される目地カバーを有し、該目地カバーの室内側に前記樋が設けられることが好ましく、この場合、前記目地カバーは、請求項３に記載の発明のように、壁パネルの左右の幅と略同一長さの長尺状に形成されると共にその前面下部に樋が一体形成され、該樋の所定位置が切り欠きされることにより水滴を下方に流下させる排水部が形成されていることが好ましい。
【０００７】
また、前記樋は、請求項４に記載の発明のように、弾性変形可能に形成されていることが好ましく、また、前記水滴が流下する所定位置は、請求項５に記載の発明のように、バスタブの上縁フランジの隅部に設けられた蓋置き凹部であることが好ましい。
【発明の効果】
【０００８】
本発明の請求項１に記載の発明によれば、天井を壁面上端部に取り付けるための連結手段の室内側に樋が設けられているため、天井表面に生成され該表面を流れ落ちた結露等の水滴を、樋に回収して所定方向に流し、浴室の所定の隅部から下方の所定位置に流下して洗い場に流すことができ、水滴のバスタブ内等への流れ込みを確実に防止して快適な入浴等が可能になると共に、水滴流れによる壁パネルの略中央部分の汚れ発生等を確実に防止することが可能となる。
【０００９】
また、請求項２に記載の発明によれば、請求項１に記載の発明の効果に加え、連結手段がレールの室内側に嵌合装着される目地カバーを備え、この目地カバーに樋が設けられるため、樋を別途設けることなく、天井を壁面上端部に取り付ける際に使用される目地カバーを有効利用しつつ、樋を所定位置に容易に配置することができる。
【００１０】
また、請求項３に記載の発明によれば、請求項２に記載の発明の効果に加え、目地カバーが長尺状でその前面下部に樋が一体形成されると共に所定位置に排水部が形成されているため、樋により水滴を天井隅部方向に良好に流して排水部から下方の所定位置に確実に流下させることができると共に、目地カバーへの一体形成により樋の構成の簡略化を図ることができる。
【００１１】
また、請求項４に記載の発明によれば、請求項１ないし３に記載の発明の効果に加え、樋が弾性変形可能に形成されているため、樋を変形させて容易に清掃することができて、連結手段の清潔さを常に良好に維持することができる。
【００１２】
また、請求項５に記載の発明によれば、請求項１ないし４に記載の発明の効果に加え、水滴が流下する所定位置がバスタブの上縁フランジの隅部に設けられた蓋置き凹部であるため、水滴を蓋置き凹部からその排水溝を利用して洗い場に流すことができて、水滴のバスタブ内への流れ込みを確実に防止できると共に、蓋置き凹部を有効利用できて、水滴の排水構造の簡略化等を図ることができる。
【発明を実施するための最良の形態】
【００１３】
以下、本発明を実施するための最良の形態を図面に基づいて詳細に説明する。
図１〜図６は、本発明に係わる浴室天井構造の一実施形態を示し、図１が該天井構造を採用した浴室の内部を透視した斜視図、図２が浴室の天井隅部を示す斜視図、図３がその断面図、図４が目地カバーの斜視図、図５及び図６が連結部材の天井隅部の正面図及びＡ−Ａ線に沿った断面図である。
【００１４】
図１において、システムバスルーム等の浴室１は、防水パン２と、４枚の浴室壁面としての壁パネル３ａ〜３ｄ及び浴室天井としての例えばドーム型の天井パネル４によって略箱状に形成され、前記防水パン２の壁パネル３ａ側にはバスタブ５が設置されると共に、このバスタブ５の側方の防水パン２上に洗い場６が形成されている。また、洗い場６の壁パネル３ｂ側には、その下部に蒸気等の吹出口８が形成されたカウンター７が設けられ、このカウンター７上方の壁パネル３ｂには、水栓操作部９、シャワー１０、ミラー１１、主照明装置１２、収納棚１３等が一体的に組み込まれたミラーパネル１４が配置されている。
【００１５】
さらに、バスタブ５の上縁フランジ５ａのうち、背側の隅部となる壁パネル３ａ、３ｄの接合部には、バスタブ５の蓋（図示せず）を丸めて立てた状態でその下端部を支持する蓋置き凹部１５が一体形成されている。この蓋置き凹部１５は、バスタブ５の背側の上縁フランジ５ａに一体形成されバスタブエプロン１７側に開口する排水溝１６により洗い場６に連通しており、立て掛けた蓋から流れ落ちた水滴が、図の矢印ニの如く排水溝１６内を流れてバスタブ５の側壁やバスタブエプロン１７を伝わり洗い場６に流れ落ちるようになっている。
【００１６】
そして、前記天井パネル４は、その外周縁部が各壁パネル３ａ〜３ｄ上端部に連結手段としての連結部材１８によって連結固定されている。すなわち、連結部材１８は、図２及び図３に示すように、壁パネル３ａ〜３ｄ（図では壁パネル３ａ、３ｂを示す）の上端面に図示しないネジで固定されたレール１９と、このレール１９の浴室１内側の側面に装着された目地カバー２０等で形成されている。前記レール１９は、例えばアルミニウムの押出し成形や硬質樹脂の成形によって、壁パネル３ａ〜３ｄの左右幅と略同一長さの長尺状に形成され、壁パネル３ａ〜３ｄの上端面に固定される固定部１９ａと、この固定部１９ａの浴室１内側に一体形成された断面略コ字状のカバー装着部１９ｂ等を有している。
【００１７】
このカバー装着部１９ｂは、その浴室１内側の側面に下方もしくは上方に傾斜状態の係止壁を所定長さ突出して形成することにより、係止壁の先端間にスリット状のカバー装着溝２１が形成されている。また、カバー装着部１９ｂの底部側の上下面には、下方もしくは上方に突出した所定長さの突条が形成され、この上下の突条の後方側（底面側）に形成される断面略コ字状の空間により、後述する止水部材２３用の嵌合部２２が形成されている。
【００１８】
前記目地カバー２０は、図２〜図４に示すように、例えばゴムや軟質樹脂等の弾性材で形成され、レール１９の上下方向の幅と略同一幅を有するカバー部２０ａと、このカバー部２０ａの裏面側に一体形成された係合突条２０ｂを有している。また、カバー部２０ａの下部には、前方にＬ字形状に突出させることで断面コ字状を呈し底面２４ａが平坦な樋２４が一体形成され、この樋２４は、図４の矢印ホの如く前方側に折り曲げできるようにその厚さや弾性力が設定されている。
【００１９】
また、目地カバー２０のカバー部２０ａの上下には、その先端が後方側に若干傾斜した弾性変形可能な当接片２０ｃ、２０ｄが長手方向の全域に亘って形成されており、この当接片２０ｃ、２０ｄが図３に示すように、弾性変形して天井パネル４の外周縁部表面や壁パネル３ａ〜３ｄの上端部表面に当接するようになっている。さらに、目地カバー２０の前記係合突条２０ｂは、内部に空洞部２５が形成されることで所定の弾性を有すると共に、その先端部の上下に係止部２６を有し、この係止部２６がレール１９の前記カバー装着溝２１に内側から係止されることで、目地カバー２０がレール１９のカバー装着部１９ｂに装着されるようになっている。
【００２０】
前記止水部材２３は、図２に示すように、例えばゴム、軟質樹脂等の弾性材によって形成され、平面視で略三角形状の基部２３ａと、この基部２３ａの９０度直交する両側面に垂直状態で所定長さ立設された一対の嵌合部２３ｂ等を有している。この止水部材２３の基部２３ａは、 その高さがレール１９の高さと同一かもしくは所定寸法高く設定され、嵌合部２３ｂは、その幅と高さが前記レール１９の嵌合部２２にその弾性力を利用して密に嵌合し得る寸法に設定されると共に、その長さがレール１９の嵌合部２２に所定長さ進入することにより、隣接するレール１９の端部間を水密性（止水性）を有して連結し得るように設定されている。
【００２１】
また、止水部材２３の基部２３ａの底面には、図示しないパネル連結部材係合部が下方に突出する状態で一体形成され、このパネル連結部材係合部の係合溝が、隣り合う壁パネル３ａ〜３ｄを上下方向に接合するアルミレール等で形成されたパネル連結部材（図示せず）のリブに、その上面側から係合するようになっている。なお、この止水部材２３は、必ずしも必要ではなく、例えばレール１９や目地カバー２０等で浴室の四隅上部に所定の止水性を確保できる場合は、省略することも可能である。
【００２２】
次に、前記レール１９と目地カバー２０及び止水部材２３を使用した、天井パネル４と壁パネル３ａ〜３ｄの組み付け方法の一例について説明する。先ず、前述したようにレール１９を各壁パネル３ａ〜３ｄの上端面に固定し、この各壁パネル３ａ〜３ｄの左右幅方向の端面の高さ方向の全域を前記パネル連結部材で連結する。これにより、壁パネル３ａ〜３ｄが浴室の防水パン２の外周縁上に立設状態で配置され、この状態で、隣接する壁パネル３ａ〜３ｄのレール１９の端面間を止水部材２３で連結する。
【００２３】
この止水部材２３でレール１９間を連結した状態で、図２に示すように、レール１９の上面側に、ドーム形状の天井パネル４の外周縁部を載置して、例えばレール１９にネジ固定すること等により、壁パネル３ａ〜３ｄの上端部に天井パネル４を組み付け配置する。この時、レール１９は、その浴室１内側の側面である係止壁（すなわちカバー装着溝２１）が浴室１内に露出した状態となっており、このレール１９の露出したカバー装着溝２１に目地カバー２０を装着する。
【００２４】
この目地カバー２０のレール１９への装着は、目地カバー２０の係合突条２０ｂの先端部をその弾性変形を利用しつつカバー装着溝２１に押し込み、係合突条２０ｂの係止部２６をレール１９のカバー装着溝２１に内側から係止させることによって行われる。この目地カバー２０の係合突条２０ｂの押し込み時に、カバー装着溝２１の上下の係止壁が奥側に向けて傾斜していることから、この傾斜面と係合突条２０ｂの係止部２６の傾斜面とにより、係合突条２０ｂをカバー装着溝２１にスムーズに嵌合装着できることになる。
【００２５】
また、この目地カバー２０のレール１９への装着により、目地カバー２０の当接片２０ｃ、２０ｄが弾性変形してその先端部が天井パネル４の外周縁部表面や壁パネル３ａ〜３ｄの上端部表面に当接した状態となり、目地カバー２０と各パネル３ａ〜３ｄ表面との間の隙間等の発生が抑えられると共に、上部の当接片２０ｃの天井パネル４表面への当接により、後述する如く水滴Ｗを樋２４内に良好に回収できることになる。
【００２６】
また、４本の目地カバー２０のうち、前記蓋置き凹部１５が形成される壁パネル３ａと壁パネル３ｄの接合部の上端部に装着される一対の目地カバー２０は、図５及び図６に示すように、その連結される側の端部に切り欠きをそれぞれ形成することで排水部２７が設けられている。この目地カバー２０への排水部２７の形成は、２本の目地カバー２０に予め形成しても良いし、全ての目地カバー２０を装着した後に切り欠くことで形成しても良い。
【００２７】
なお、４本の目地カバー２０は、壁パネル３ａ〜３ｄの左右の幅より所定寸法長く設定され、その両端部を弾性変形させつつレール１９のカバー装着溝２１に押し込むことにより、隣接するカバー２０の端部間の隙間発生が防止されるようになっている。また、各壁パネル３ａ〜３ｄの浴室１内側の連結部に上下方向に形成される目地部にも、図２に示すように、所定形状の目地カバー２８が装着される。
【００２８】
そして、この浴室１によれば、天井パネル３ａ〜３ｄの内面に生成された結露等の水滴Ｗは、ドーム形状等の天井パネル４の表面に沿って流れ、図３の矢印イの如く目地カバー２０の上部の当接片２０ｃからカバー部２０ａを伝わって樋２４内に回収される。この樋２４内に回収された水滴Ｗは、所定幅の樋２４の表面張力等によって当該樋２４の底面２４ａ上を図６の矢印ロの如く流れ、浴室１の隅部位置に設けた目地カバー２０の排水部２７から下方に落下し、図１の矢印ハの如く壁パネル３ａと壁パネル３ｄの接合部を伝わって下方に流下し、その下方に位置するバスタブ５の蓋置き凹部１５内に収容される。
【００２９】
この蓋置き凹部１５内に収容された水滴Ｗは、例えば蓋から落下する水滴等と一緒に、蓋置き凹部１５に連通された排水溝１６を流れてバスタブ５の洗い場側壁面及びバスタブエプロン１７から洗い場６に流れ落ちる。つまり、天井パネル４に生成される水滴Ｗを目地カバー２０の樋２４で回収して、所定位置の排水部２７から蓋置き凹部１５内に収容でき、水滴Ｗが壁パネル３ａ、３ｂ、３ｄの中央部分等を流下してバスタブ５内へ流れ込むこと等が防止できることになる。
【００３０】
このように、上記実施形態の浴室１の天井構造にあっては、天井パネル４を壁パネル３ａ〜３ｄの上端部に取り付けるレール１９の浴室１内側に目地カバー２０が装着されると共に、この目地カバー２０の下部にその長手方向の全域に亘って樋２４が設けられているため、天井パネル４の表面に生成され該表面を流れ落ちた結露等の水滴Ｗを、樋２４に回収して浴室１の隅部方向に流し、バスタブ５の蓋置き凹部１５がある隅部位置から下方に流下させて洗い場６に流すことができる。
【００３１】
特に、水滴Ｗが流下する位置がバスタブ５の上縁フランジ５ａの隅部に設けられた蓋置き凹部１５に設定されていることから、蓋置き凹部１５を有効利用しつつ、水滴Ｗを蓋置き凹部１５からその排水溝１６を利用して洗い場６に確実に流すことができる。その結果、水滴Ｗのバスタブ５内等への流れ込みが確実に防止されて、快適な入浴等が可能になると共に、水滴Ｗが壁パネル３ａ〜３ｄの略中央部分を流れ落ちることがなくなり、水滴Ｗ流れによる壁パネル３ａ〜３ｄの汚れ発生等を確実に防止することが可能となる。
【００３２】
また、レール１９の浴室１内側に嵌合装着される目地カバー２０の下部に断面コ字状の樋２４が設けられているため、専用の樋２４を別途設ける必要がなく、天井パネル４を壁パネル３ａ〜３ｄ上端部に取り付ける際に使用される目地カバー２０を有効利用しつつその付加価値を高めて、樋２４を天井パネル４と壁パネル３ａ〜３ｄの連結部分に安定して配置することができる。
【００３３】
さらに、目地カバー２０が長尺状でその前面下部に一体形成される樋２４の所定位置に排水部２７が切り欠き形成されているため、目地カバー２０への樋２４の形成や樋２０への排水部２７等の形成を容易に行うことができて、樋２４自体の構成の簡略化を図ることができると共に、樋２４で回収した水滴Ｗを蓋置き凹部１５の排水溝１６を利用して洗い場６に流すことができるため、専用の排水溝１６を設ける必要がなく、排水構造の簡略化等を図ることもできる。
【００３４】
また、樋２４がコム等により弾性変形可能に形成されているため、清掃がし難い高い位置にある樋２４を変形させつつ例えば水洗いできる等、樋２４（目地カバー２０）の清掃を容易に行うことができて、目地カバー２０部分、すなわち天井パネル４と壁パネル３ａ〜３ｄの連結部分の清潔さを常に良好に維持することができる。また、当接片２０ｃ、２０ｄを有する目地カバー２０の前面下部に樋２４が一体形成されているため、浴室１内から樋２４自体が目地カバー２０として視認されると共に、当接片２０ｃ、２０ｄでレール１９と壁パネル３ａ〜３ｄや天井パネル４との連結部分を確実に隠すことができて、天井パネル４と壁パネル３ａ〜３ｄの連結部分において従来と変わりない意匠性を確保することができる。
【００３５】
また、上記天井構造にあっては、壁パネル３ａ〜３ｄの上端面と天井パネル４の外周縁部とを連結するレール１９の開口する両端部間に止水部材２３が嵌合されているため、レール１９を直交方向に連結する際に必然的に形成される両レール１９間の空間を止水部材２３で塞ぐことができると共に、弾性を有する止水部材２３の嵌合部２３ｂの嵌合作用により、隣り合うレール１９を水密性を有して連結でき、天井パネル４の四隅上部から浴室１外に水滴Ｗや蒸気等が漏出することがなくなり、浴室１の四隅上部に従来では得られなかった十分な止水性を確保できる等の付随的な作用効果を得ることもできる。
【００３６】
ところで、上記実施形態においては、目地カバー２０の樋２４で回収した水滴Ｗを浴室１の四つの隅部のうちバスタブ５の蓋置き凹部１５の隅部に流下させたが、本発明はこれに限定されず、例えば壁パネル３ｃと壁パネル３ｄの接合部である洗い場６の隅部に流下させたり、対向する２つの隅部に流下させる等、浴室１の形態等に応じて適宜の隅部位置を選択することができる。また、場合によっては、排水部２７を設ける位置が天井隅部に限らず、図４の二点鎖線で示すように、目地カバー２０の長手方向の所定位置に切り欠きからなる排水部２７を設けて、水滴Ｗ流れによる汚れが気にならない適宜壁パネル３ａ〜３ｄの適宜位置を選択することもできる。
【００３７】
また、上記実施形態においては、目地カバー２０に一体形成される樋２４の底面２４ａを平坦に形成したが、例えば図５の二点鎖線で示すように、樋２４の底面２４ａを傾斜させることで水勾配を設定し、水滴Ｗを矢印ヘの如く所定方向に強制的に流すようにしても良い。この場合は、樋２４の底面２４ａを目地カバー２０の一端側から他端側に向けて傾斜させることで、４本の目地カバー２０を２本ずつ対とし、その底面２４ａの低い側を接合して浴室１の２カ所の対向する所定の隅部位置に設けるようにすれば、４本の目地カバー２０の部材の共通化が図れて好ましい。
【００３８】
さらに、上記実施形態においては、目地カバー２０に樋２４を一体形成したが、例えば目地カバー２０が比較的硬質材料で形成される場合は、該目地カバー２０に所定形状の樋２４を着脱可能に取り付ける構造を採用することもできるし、また、４本の目地カバー２０を、２本あるいは１本で構成することも可能である。さらに、排水部２７を切り欠きではなく、所定の大きさの孔で構成することもできるし、上記実施形態におけるレール１９や目地カバー２０、止水部材２３及び浴室１自体の形態等も一例であって、本発明の各発明に係わる要旨を逸脱しない範囲において適宜に変更することができる。
【産業上の利用可能性】
【００３９】
本発明は、システムバスルーム等の浴槽を備えた浴室に限らず、例えばシャワールームやサウナルーム等の浴室の天井構造にも適用できる。
【図面の簡単な説明】
【００４０】
【図１】本発明に係わる天井構造を採用した浴室の内部を透視した斜視図
【図２】同その天井隅部を示す斜視図
【図３】同その断面図
【図４】同その目地カバーの斜視図
【図５】同連結部材の天井隅部の正面図
【図６】同図５のＡ−Ａ線に沿った断面図
【符号の説明】
【００４１】
１・・・天井パネル、２・・・防水パン、３ａ〜３ｄ・・・壁パネル、４・・・天井パネル、５・・・バスタブ、５ａ・・・上縁フランジ、６・・・洗い場、１５・・・蓋置き凹部、１６・・・排水溝、１７・・・バスタブエプロン、１８・・・連結部材、１９・・・レール、１９ａ・・・固定部、１９ｂ・・・カバー装着部、２０・・・目地カバー、２０ａ・・・カバー部、２０ｂ・・・係合突条、２０ｃ、２０ｄ・・・当接片、２１・・・カバー装着溝、２２・・・嵌合部、２３・・・止水部材、２４・・・樋、２４ａ・・・底面、２５・・・空洞部、２６・・・係止部、２７・・・排水部、Ｗ・・・水滴
【図１】
2005139815.tif 000003
【図２】
2005139815.tif 000004
【図３】
2005139815.tif 000005
【図４】
2005139815.tif 000006
【図５】
2005139815.tif 000007
【図６】
2005139815.tif 000008